【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
プラチナ、チタンおよび第三金属を含有する金属成分を含む電極触媒の組成物であって、
プラチナを５５〜８５原子パーセント、チタンを１〜３０原子パーセント、第三金属を１〜３０原子パーセント含み、
前記第三金属は、バナジウムおよびモリブデンからなる群から選ばれる少なくとも１つの金属である
ことを特徴とする電極触媒の組成物。
【請求項２】
プラチナを６０〜８０原子パーセント、チタンを５〜２５原子パーセント、前記第三金属を５〜２５原子パーセント含むことを特徴とする請求項１に記載の電極触媒の組成物。
【請求項３】
プラチナを６０〜８０原子パーセント、チタンを５〜３０原子パーセント、前記第三金属を１〜２５原子パーセント含むことを特徴とする請求項１に記載の電極触媒の組成物。
【請求項４】
プラチナを６０〜７０原子パーセント、チタンを１０〜２０原子パーセント、前記第三金属を１０〜２０原子パーセント含むことを特徴とする請求項１に記載の電極触媒の組成物。
【請求項５】
プラチナを６０〜７０原子パーセント、チタンを１０〜３０原子パーセント、前記第三金属を１〜２０原子パーセント含むことを特徴とする請求項１に記載の電極触媒の組成物。
【請求項６】
前記第三金属はバナジウムであり、１０〜２０原子パーセント含むことを特徴とする請求項１に記載の電極触媒の組成物。
【請求項７】
前記第三金属はバナジウムであり、１〜２０原子パーセント含むことを特徴とする請求項１に記載の電極触媒の組成物。
【請求項８】
前記第三金属はモリブデンであり、１０〜２０原子パーセント含むことを特徴とする請求項１に記載の電極触媒の組成物。
【請求項９】
前記第三金属はモリブデンであり、１〜２０原子パーセント含むことを特徴とする請求項１に記載の電極触媒の組成物。
【請求項１０】
請求項１に記載の電極触媒の組成物を含むことを特徴とする薄膜型電極触媒。
【請求項１１】
電極触媒と、膜と、電極とを備える燃料電池アッセンブリであって、
前記電極触媒は、プラチナ、チタンおよび第三金属を含有する組成物を含み、
プラチナを５５〜８５原子パーセント、チタンを１〜３０原子パーセント、前記第三金属を１〜３０原子パーセント含み、
前記第三金属は、バナジウムおよびモリブデンからなる群から選ばれる少なくとも１つの金属である
ことを特徴とする燃料電池アッセンブリ。
【請求項１２】
プラチナを６０〜８０原子パーセント、チタンを５〜３０原子パーセント、前記第三金属を１〜２５原子パーセント含む
ことを特徴とする請求項１１に記載の燃料電池アッセンブリ。
【請求項１３】
プラチナを６０〜７０原子パーセント、チタンを１０〜３０原子パーセント、前記第三金属を１〜２０原子パーセント含む
ことを特徴とする請求項１１に記載の燃料電池アッセンブリ。
【請求項１４】
前記第三金属はバナジウムであり、１〜２０原子パーセント含むことを特徴とする請求項１１に記載の燃料電池アッセンブリ。
【請求項１５】
前記第三金属はモリブデンであり、１〜２０原子パーセント含むことを特徴とする請求項１１に記載の燃料電池アッセンブリ。
【請求項１６】
前記電極触媒は薄膜型電極触媒を含むことを特徴とする請求項１１に記載の燃料電池アッセンブリ。
【請求項１７】
前記電極触媒は、担持された、ナノ粒子含有粉体からなる電極触媒を含むことを特徴とする請求項１１に記載の燃料電池アッセンブリ。
【請求項１８】
プラチナ、チタンおよび第三金属を含有する金属成分を含む電極触媒の組成物であって、
プラチナを５５〜９５原子パーセント、チタンを１〜３０原子パーセント、第三金属を１〜３０原子パーセント含み、
前記第三金属は、銅およびマンガンからなる群から選ばれる少なくとも１つの金属である
ことを特徴とする電極触媒の組成物。
【請求項１９】
プラチナを５５〜７５原子パーセント、チタンを１０〜２５原子パーセント、前記第三金属を１０〜２５原子パーセント含むことを特徴とする請求項１８に記載の電極触媒の組成物。
【請求項２０】
プラチナを５５〜９０原子パーセント、チタンを３〜２５原子パーセント、銅を５〜２５原子パーセント含むことを特徴とする請求項１８に記載の電極触媒の組成物。
【請求項２１】
プラチナを５５〜７０原子パーセント、チタンを１５〜２０原子パーセント、銅を１０〜２５原子パーセント含むことを特徴とする請求項１８に記載の電極触媒の組成物。
【請求項２２】
プラチナを５５〜８０原子パーセント、チタンを１０〜２５原子パーセント、マンガンを１０〜２１原子パーセント含むことを特徴とする請求項１８に記載の電極触媒の組成物。
【請求項２３】
プラチナを６０〜８０原子パーセント、チタンを１０〜２０原子パーセント、マンガンを１０〜１６原子パーセント含むことを特徴とする請求項１８に記載の電極触媒の組成物。
【請求項２４】
前記第三金属は銅であり、１０〜２５原子パーセント含むことを特徴とする請求項１８に記載の電極触媒の組成物。
【請求項２５】
前記第三金属はマンガンであり、１０〜２５原子パーセント含むことを特徴とする請求項１８に記載の電極触媒の組成物。
【請求項２６】
請求項１８に記載の電極触媒の組成物を含むことを特徴とする薄膜型電極触媒。
【請求項２７】
電極触媒と、膜と、電極とを備える燃料電池アッセンブリであって、
前記電極触媒は、プラチナ、チタンおよび第三金属を含有する組成物を含み、
プラチナを５５〜９５原子パーセント、チタンを１〜３０原子パーセント、前記第三金属を１〜３０原子パーセント含み、
前記第三金属は、銅およびマンガンからなる群から選ばれる少なくとも１つの金属である
ことを特徴とする燃料電池アッセンブリ。
【請求項２８】
プラチナを５５〜７５原子パーセント、チタンを１０〜２５原子パーセント、前記第三金属を１０〜２５原子パーセント含むことを特徴とする請求項２７に記載の燃料電池アッセンブリ。
【請求項２９】
プラチナを５５〜９０原子パーセント、チタンを３〜２５原子パーセント、銅を５〜２５原子パーセント含むことを特徴とする請求項２７に記載の燃料電池アッセンブリ。
【請求項３０】
プラチナを５５〜７０原子パーセント、チタンを１５〜２０原子パーセント、銅を１０〜２５原子パーセント含むことを特徴とする請求項２７に記載の燃料電池アッセンブリ。
【請求項３１】
プラチナを５５〜８０原子パーセント、チタンを１０〜２５原子パーセント、マンガンを１０〜２１原子パーセント含むことを特徴とする請求項２７に記載の燃料電池アッセンブリ。
【請求項３２】
プラチナを６０〜８０原子パーセント、チタンを１０〜２０原子パーセント、マンガンを１０〜１６原子パーセント含むことを特徴とする請求項２７に記載の燃料電池アッセンブリ。
【請求項３３】
前記電極触媒は薄膜型電極触媒を含むことを特徴とする請求項２７に記載の燃料電池アッセンブリ。
【請求項３４】
前記電極触媒は、担持された、ナノ粒子含有粉体からなる電極触媒を含むことを特徴とする請求項２７に記載の燃料電池アッセンブリ。
【請求項３５】
プラチナ、チタンおよび第三金属を含有する金属成分を含む電極触媒の組成物であって、
プラチナを５０〜８５原子パーセント、チタンを５〜３０原子パーセント、第三金属を１〜３０原子パーセント含み、
前記第三金属は、ルテニウム、ロジウム、パラジウム、銀、オスミウム、イリジウムおよび金からなる群から選ばれる少なくとも１つの金属である
ことを特徴とする電極触媒の組成物。
【請求項３６】
プラチナを６０〜７５原子パーセント、チタンを５〜２５原子パーセント、前記第三金属を１０〜２０原子パーセント含むことを特徴とする請求項３５に記載の電極触媒の組成物。
【請求項３７】
前記第三金属はパラジウムであることを特徴とする請求項３６に記載の電極触媒の組成物。
【請求項３８】
プラチナを６０〜７５原子パーセント、チタンを８〜２１原子パーセント、前記第三金属を１５〜２５原子パーセント含むことを特徴とする請求項３５に記載の電極触媒の組成物。
【請求項３９】
前記第三金属はパラジウムであることを特徴とする請求項３８に記載の電極触媒の組成物。
【請求項４０】
プラチナを５０〜６５原子パーセント、チタンを１５〜２５原子パーセント、パラジウムを１０〜３０原子パーセント含むことを特徴とする請求項３５に記載の電極触媒の組成物。
【請求項４１】
請求項３５に記載の電極触媒の組成物を含むことを特徴とする薄膜型電極触媒。
【請求項４２】
電極触媒と、膜と、電極を備える燃料電池アッセンブリであって、
前記電極触媒は、プラチナ、チタンおよび第三金属を含有する金属成分を含み、
プラチナを５０〜８５原子パーセント、チタンを５〜３０原子パーセント、前記第三金属を１〜３０原子パーセント含み、
前記第三金属は、ルテニウム、ロジウム、パラジウム、銀、オスミウム、イリジウムおよび金からなる群から選ばれる少なくとも１つの金属である
ことを特徴とする燃料電池アッセンブリ。
【請求項４３】
前記金属成分は、プラチナを６０〜７５原子パーセント、チタンを５〜２５原子パーセント、前記第三金属を１０〜２０原子パーセント含むことを特徴とする請求項４２に記載の燃料電池アッセンブリ。
【請求項４４】
前記第三金属はパラジウムであることを特徴とする請求項４３に記載の燃料電池アッセンブリ。
【請求項４５】
前記金属成分は、プラチナを６０〜７５原子パーセント、チタンを８〜２１原子パーセント、前記第三金属を１５〜２５原子パーセント含むことを特徴とする請求項４２に記載の燃料電池アッセンブリ。
【請求項４６】
前記第三金属はパラジウムであることを特徴とする請求項４５に記載の燃料電池アッセンブリ。
【請求項４７】
前記金属成分は、プラチナを５０〜６５原子パーセント、チタンを１５〜２５原子パーセント、前記第三金属を１０〜３０原子パーセント含むことを特徴とする請求項４２に記載の燃料電池アッセンブリ。
【請求項４８】
前記電極触媒は薄膜型電極触媒を含むことを特徴とする請求項４２に記載の燃料電池アッセンブリ。
【請求項４９】
前記電極触媒は、担持された、ナノ粒子含有粉体からなる電極触媒を含むことを特徴とする請求項４２に記載の燃料電池アッセンブリ。
【請求項５０】
プラチナ、チタン、第三金属および第四金属を含有する金属成分を含む電極触媒の組成物であって、
プラチナを３０〜８５原子パーセント、チタンを５〜３０原子パーセント、前記第三金属を１〜３０原子パーセント、前記第四金属を１〜３０原子パーセント含み、
前記第三金属は、ニッケル、バナジウム、銅、マンガン、コバルト、ルテニウム、パラジウム、銀、オスミウム、イリジウムおよび金からなる群から選択される少なくとも１つの金属であり、
前記第四金属は前記第三金属とは異なり、スカンジウム、バナジウム、クロム、マンガン、ニッケル、銅、亜鉛、イットリウム、ジルコニウム、ニオビウム、カドミウム、スズ、ハフニウム、タンタルおよびレニウムからなる群から選択される少なくとも１つの金属である
ことを特徴とする電極触媒の組成物。
【請求項５１】
前記金属成分は、さらに、第五金属を１〜３０原子パーセント含み、
前記第五金属は、スカンジウム、バナジウム、クロム、マンガン、ニッケル、銅、亜鉛、イットリウム、ジルコニウム、ニオビウム、カドミウム、スズ、ハフニウム、タンタルおよびレニウムからなる群から選択される少なくとも１つの金属であり、
前記第三金属と前記第四金属と前記第五金属とはそれぞれ異なる金属である
ことを特徴とする請求項５０に記載の電極触媒の組成物。
【請求項５２】
プラチナを６０〜７０原子パーセント、チタンを１０〜３０原子パーセント含み、前記第三金属はニッケルであり、１〜２０原子パーセント含むことを特徴とする請求項５１に記載の電極触媒の組成物。
【請求項５３】
前記第三金属はバナジウムであり、１〜２０原子パーセント含むことを特徴とする請求項５２に記載の電極触媒の組成物。
【請求項５４】
プラチナを５５〜７０原子パーセント、チタンを１５〜２０原子パーセント含み、前記第三金属は銅であり、１０〜２５原子パーセント含むことを特徴とする請求項５１に記載の電極触媒の組成物。
【請求項５５】
プラチナを６０〜８０原子パーセント、チタンを１０〜２０原子パーセント含み、前記第三金属はマンガンであり、１０〜２５原子パーセント含むことを特徴とする請求項５１に記載の電極触媒の組成物。
【請求項５６】
プラチナを６０〜７５原子パーセント、チタンを５〜２５原子パーセント含み、前記第三金属はコバルトであり、１０〜２５原子パーセント含むことを特徴とする請求項５１に記載の電極触媒の組成物。
【請求項５７】
プラチナを５０〜６５原子パーセント、チタンを１５〜２５原子パーセント含み、前記第三金属はパラジウムであり、１０〜３０原子パーセント含むことを特徴とする請求項５１に記載の電極触媒の組成物。
【請求項５８】
請求項５０に記載の電極触媒の組成物を含むことを特徴とする薄膜型電極触媒。
【請求項５９】
プラチナ、チタン、第三金属、第四金属および第五金属を含有する金属成分を含む電極触媒の組成物であって、
プラチナを３０〜８５原子パーセント、チタンを５〜３０原子パーセント、前記第三金属を１〜３０原子パーセント、前記第四金属を１〜３０原子パーセント、前記第五金属を１〜３０原子パーセント含み、
前記第三金属は、ニッケル、バナジウム、銅、マンガン、コバルト、ルテニウム、パラジウム、銀、オスミウム、イリジウムおよび金からなる群から選ばれる少なくとも１つの金属であり、
前記第四金属は前記第三金属とは異なり、スカンジウム、バナジウム、クロム、マンガン、ニッケル、銅、亜鉛、イットリウム、ジルコニウム、ニオビウム、カドミウム、スズ、ハフニウム、タンタルおよびレニウムからなる群から選ばれる少なくとも１つの金属であり、
前記第五金属は、前記第三金属および前記第四金属とは異なり、スカンジウム、バナジウム、クロム、マンガン、ニッケル、銅、亜鉛、イットリウム、ジルコニウム、ニオビウム、カドミウム、スズ、ハフニウム、タンタルおよびレニウムからなる群から選ばれる少なくとも１つの金属である
ことを特徴とする電極触媒の組成物。
【請求項６０】
プラチナを６０〜７０原子パーセント、チタンを１０〜３０原子パーセント含み、前記第三金属はニッケルであり、１〜２０原子パーセント含むことを特徴とする請求項５９に記載の電極触媒の組成物。
【請求項６１】
前記第三金属はバナジウムであり、１〜２０原子パーセント含むことを特徴とする請求項６０に記載の電極触媒の組成物。
【請求項６２】
プラチナを５５〜７０原子パーセント、チタンを１５〜２０原子パーセント含み、前記第三金属は銅であり、１０〜２５原子パーセント含むことを特徴とする請求項５９に記載の電極触媒の組成物。
【請求項６３】
プラチナを６０〜８０原子パーセント、チタンを１０〜２０原子パーセント含み、前記第三金属はマンガンであり、１０〜２５原子パーセント含むことを特徴とする請求項５９に記載の電極触媒の組成物。
【請求項６４】
プラチナを６０〜７５原子パーセント、チタンを５〜２５原子パーセント含み、前記第三金属はコバルトであり、１０〜２５原子パーセント含むことを特徴とする請求項５９に記載の電極触媒の組成物。
【請求項６５】
プラチナを５０〜６５原子パーセント、チタンを１５〜２５原子パーセント含み、前記第三金属はパラジウムであり、１０〜３０原子パーセント含むことを特徴とする請求項５９に記載の電極触媒の組成物。
【請求項６６】
請求項５９に記載の電極触媒を含むことを特徴とする薄膜型電極触媒。
【請求項６７】
プラチナ、チタン、コバルトおよびパラジウムを含有する金属成分を含む電極触媒の組成物であって、
プラチナを３０〜６０原子パーセント、チタンを５〜２０原子パーセント、コバルトを４〜２０原子パーセント、パラジウムを１５〜３０原子パーセント含むことを特徴とする電極触媒の組成物。
【請求項６８】
前記金属成分は、プラチナを４０〜５５原子パーセント、チタンを１３〜２０原子パーセント、コバルトを９〜１６原子パーセント、パラジウムを１８〜２６原子パーセント含むことを特徴とする請求項６７に記載の電極触媒の組成物。
【請求項６９】
電極触媒と、膜と、電極とを備える燃料電池アッセンブリであって、
前記電極触媒は、プラチナ、チタン、第三金属、第四金属および第五金属を含有する金属成分を含む組成物を含み、
プラチナを３０〜８５原子パーセント、チタンを５〜３０原子パーセント、前記第三金属を１〜３０原子パーセント、前記第四金属を１〜３０原子パーセント、前記第五金属を１〜３０原子パーセント含み、
前記第三金属は、ニッケル、バナジウム、銅、マンガン、コバルト、ルテニウム、パラジウム、銀、オスミウム、イリジウムおよび金からなる群から選ばれる少なくとも１つの金属であり、
前記第四金属は前記第三金属とは異なり、スカンジウム、バナジウム、クロム、マンガン、ニッケル、銅、亜鉛、イットリウム、ジルコニウム、ニオビウム、カドミウム、スズ、ハフニウム、タンタルおよびレニウムからなる群から選らばれる少なくとも１つの金属であり、
前記第五金属は前記第三金属および第四金属とは異なり、スカンジウム、バナジウム、クロム、マンガン、ニッケル、銅、亜鉛、イットリウム、ジルコニウム、ニオビウム、カドミウム、スズ、ハフニウム、タンタルおよびレニウムからなる群から選ばれる少なくとも１つの金属である
ことを特徴とする燃料電池アッセンブリ。
【請求項７０】
プラチナを６０〜７０原子パーセント、チタンを１０〜３０原子パーセント含み、前記第三金属はニッケルであり、１〜２０原子パーセント含むことを特徴とする請求項６９に記載の燃料電池アッセンブリ。
【請求項７１】
前記第三金属はバナジウムであり、１〜２０原子パーセント含むことを特徴とする請求項７０に記載の燃料電池アッセンブリ。
【請求項７２】
プラチナを５５〜７０原子パーセント、チタンを１５〜２０原子パーセント含み、前記第三金属は銅であり、１０〜２５原子パーセント含むことを特徴とする請求項６９に記載の燃料電池アッセンブリ。
【請求項７３】
プラチナを６０〜８０原子パーセント、チタンを１０〜２０原子パーセント含み、前記第三金属はマンガンであり、１０〜２５原子パーセント含むことを特徴とする請求項６９に記載の燃料電池アッセンブリ。
【請求項７４】
プラチナを６０〜７５原子パーセント、チタンを５〜２５原子パーセント含み、前記第三金属はコバルトであり、１０〜２５原子パーセント含むことを特徴とする請求項６９に記載の燃料電池アッセンブリ。
【請求項７５】
プラチナを５０〜６５原子パーセント、チタンを１５〜２５原子パーセント含み、前記第三金属はパラジウムであり、１０〜３０原子パーセント含むことを特徴とする請求項６９に記載の燃料電池アッセンブリ。
【請求項７６】
前記電極触媒は薄膜型電極触媒を含むことを特徴とする請求項６９に記載の燃料電池アッセンブリ。